(57)【要約】【課題】  鏡としての機能は当然のこと、写真立てやカードホルダーなどの機能も包含した多機能な鏡である多機能鏡を提供する。【解決手段】  略長方形状の三つの板状部3a,3b,3cが各板状部3a,3b,3cの長手方向に一列に並設されてなり、各板状部3a,3b,3c間が折り曲げ可能に連結されることによって三つの板状部3a,3b,3cが一列に並んだ展開状態と三つの板状部3a,3b,3cが重なり合った折畳状態とに変形可能とされた多機能鏡1であって、この多機能鏡1には、鏡が配された鏡面と、写真を収納可能な写真収納部が形成された写真収納面と、カード類を収納可能なカード収納部25が形成されたカード収納面13と、シールを貼剥自在なシール貼付部27を備えたシール貼付面14と、が各板状部3a,3b,3cの表裏に位置する六面のうちのそれぞれ異なる面に少なくとも一つ以上形成されている。【選択図】    図２
0003166242.tif 000002
【実用新案登録請求の範囲】
【請求項１】
略長方形状の三つの板状部が各板状部の長手方向に一列に並設されてなり、各板状部間が折り曲げ可能に連結されることによって前記三つの板状部が一列に並んだ展開状態と前記三つの板状部が重なり合った折畳状態とに変形可能とされた多機能鏡であって、
鏡が配された鏡面と、写真を収納可能な写真収納部が形成された写真収納面と、カード類を収納可能なカード収納部が形成されたカード収納面と、シールを貼剥自在なシール貼付部を備えたシール貼付面と、が前記各板状部の表裏に位置する六面のうちのそれぞれ異なる面に少なくとも一つ以上形成されていることを特徴とする多機能鏡。
【請求項２】
前記写真収納部は、透明な樹脂で形成されたシートが前記六面の内のいずれかの面に袋状に取り付けられてなり、Ｌ板の写真を収納可能な大きさに形成され、
前記カード収納部は、透明な樹脂で形成されたシートが前記六面の内のいずれかの面に袋状に取り付けられてなり、磁気カードやＩＣカードを収納可能な大きさに形成され、
前記シール貼付部は、シールを貼剥自在な素材で形成されたシール台紙が前記六面の内のいずれかの面に取り付けられてなることを特徴とする請求項１に記載の多機能鏡。
【請求項３】
前記シール貼付部のシール台紙は、紙の表面が樹脂でラミネート加工されこの表面にシリコーン層が積層されてなることを特徴とする請求項２に記載の多機能鏡。
【請求項４】
前記三つの板状部の外表面側に位置する三面を順に第一面、第二面、第三面とし、前記第一面、第二面、第三面の裏面に位置する面を順に第四面、第五面、第六面とし、
前記第一面が前記鏡面とされ、前記第二面が写真収納面とされ、前記第四面および第五面が前記シール貼付面とされ、前記第六面が前記カード収納面とされていることを特徴とする請求項１乃至請求項３のいずれか１項に記載の多機能鏡。
【請求項５】
長方形状の鏡板と、それぞれが長方形状の二枚の基板と、前記鏡板および前記二枚の基板を一列に並べた状態で前記鏡板および前記二枚の基板の外周縁を覆う柔軟性を有するカバー部材と、を備え、
前記第六面の開放端近傍には、前記カバー部材を内側に折り返して形成された折り返し部が形成され、
前記第四面、第五面、第六面が内側に位置し、側面視三角形となるように前記各板状部間を折り曲げたとき、前記第一面の開放端近傍が前記折り返し部に係着して前記第三面を底面とした自立式の鏡および写真立てとなることを特徴とする請求項４に記載の多機能鏡。
【請求項６】
前記カード収納面には、前記カード収納部の他にシール収納部が形成されていることを特徴とする請求項１乃至請求項５のいずれか１項に記載の多機能鏡。
【考案の詳細な説明】
【技術分野】
【０００１】
本考案は、鏡として以外の機能も兼ね備えた多機能鏡に関する。
【背景技術】
【０００２】
女性が携帯する必需品の一つとして鏡がある。この鏡としては、宝飾が施されたものや、他の機能を包含したものなど、様々な種類の物が提供されている。例えば、特開２００１−３１４２９５号公報（特許文献１）では、写真立てとして用いることができる鏡の提案がなされている。また、近年若い女性の間では、鏡の保持部材にシール状の小型のプリント写真を貼りつけたり、ビーズを貼り付けたりすることによって自分なりに鏡をアレンジして使用している姿がみられる。
【先行技術文献】
【特許文献】
【０００３】
【特許文献１】特開２００１−３１４２９５号公報
【考案の概要】
【考案が解決しようとする課題】
【０００４】
本考案は、複数の収納部やシール貼付部などを備えることにより、鏡としての機能は当然のこと、写真立てやカードホルダーなどとしての機能も包含した多くの機能を備えた鏡である多機能鏡を提供することを目的としている。
【課題を解決するための手段】
【０００５】
本考案の多機能鏡は、略長方形状の三つの板状部が各板状部の長手方向に一列に並設されてなり、各板状部間が折り曲げ可能に連結されることによって前記三つの板状部が一列に並んだ展開状態と前記三つの板状部が重なり合った折畳状態とに変形可能とされた多機能鏡であって、鏡が配された鏡面と、写真を収納可能な写真収納部が形成された写真収納面と、カード類を収納可能なカード収納部が形成されたカード収納面と、シールを貼剥自在なシール貼付部を備えたシール貼付面と、が前記各板状部の表裏に位置する六面のうちのそれぞれ異なる面に少なくとも一つ以上形成されていることを特徴とする。
【０００６】
また、本考案の多機能鏡において前記写真収納部は、透明な樹脂で形成されたシートが前記六面の内のいずれかの面に袋状に取り付けられてなり、Ｌ板の写真を収納可能な大きさに形成され、前記カード収納部は、透明な樹脂で形成されたシートが前記六面の内のいずれかの面に袋状に取り付けられてなり、磁気カードやＩＣカードを収納可能な大きさに形成され、前記シール貼付部は、シールを貼剥自在な素材で形成されたシール台紙が前記六面の内のいずれかの面に取り付けられてなることを特徴とする。
【０００７】
さらに、本考案の多機能鏡において前記シール貼付部のシール台紙は、紙の表面が樹脂でラミネート加工されこの表面にシリコーン層が積層されてなることを特徴とする。
【０００８】
そして、本考案の多機能鏡は、前記三つの板状部の外表面側に位置する三面を順に第一面、第二面、第三面とし、前記第一面、第二面、第三面の裏面に位置する面を順に第四面、第五面、第六面とし、前記第一面が前記鏡面とされ、前記第二面が写真収納面とされ、前記第四面および第五面が前記シール貼付面とされ、前記第六面が前記カード収納面とされていることを特徴とする。
【０００９】
また、本考案の多機能鏡は、長方形状の鏡板と、それぞれが長方形状の二枚の基板と、前記鏡板および前記二枚の基板を一列に並べた状態で前記鏡板および前記二枚の基板の外周縁を覆う柔軟性を有するカバー部材と、を備え、前記第六面の開放端近傍には、前記カバー部材を内側に折り返して形成された折り返し部が形成され、前記第四面、第五面、第六面が内側に位置し、側面視三角形となるように前記各板状部間を折り曲げたとき、前記第一面の開放端近傍が前記折り返し部に係着して前記第三面を底面とした自立式の鏡および写真立てとなることを特徴とする。
【００１０】
さらに、本考案の多機能鏡において前記カード収納面には、前記カード収納部の他にシール収納部が形成されていることを特徴とする。
【考案の効果】
【００１１】
本考案によれば、複数の収納部やシール貼付部などを備えることにより、鏡としての機能は当然のこと、写真立てやカードホルダーなどとしての機能も包含した多機能な鏡である多機能鏡を提供することができる。
【００１２】
すなわち、本考案の多機能鏡は、携帯用の鏡やスタンド型の鏡として用いることができるのは当然のこと、写真収納部に写真を入れて持ち歩く、写真立てとして用いる、シール貼付面にシールを貼り付けてかわいくアレンジする、シール貼付面にシール状のプリント写真を多数貼り付けてアルバムのように用いる、あるいは、カード収納部に電車の改札で用いる被接触式のＩＣカードを収納することでカードホルダーや定期入れとして用いるなど様々な用途で用いることができる。
【００１３】
よって、鏡と手帳と定期入れとカードホルダーとを別々に携帯する必要がなく、多機能鏡という一つの道具で複数の機能を提供できることとなる。また、使用者が自分でシールを貼り付けることでオリジナルの鏡にアレンジできるため、使用者に今までにない新たな趣向を提供できる。
【図面の簡単な説明】
【００１４】
【図１】本考案の実施形態に係る多機能鏡の展開状態における正面図である。
【図２】上記多機能鏡の展開状態における背面図である。
【図３】上記多機能鏡の折畳状態における斜視図である。
【図４】上記多機能鏡の自立状態における斜視図である。
【図５】上記多機能鏡の使用状態を示す説明図である。
【図６】上記多機能鏡の使用状態を示す説明図である。
【考案を実施するための形態】
【００１５】
以下、本考案を実施するための形態について図に基づいて詳細に述べる。図１は、本考案の実施形態に係る多機能鏡の展開状態の正面図であり、図２は、多機能鏡の展開状態の背面図であり、図３は、上記多機能鏡の折畳状態の斜視図であり、図４は、上記多機能鏡の自立状態における斜視図である。なお、以下の説明において、図１の正面視上下方向を上下として述べる。
【００１６】
本考案の多機能鏡1は、図１および図２に示すように、略長方形状の三つの板状部3a,3b,3c（上方から順に第一板状部3a、第二板状部3b、第三板状部3c）が長手方向に一列に並設されてなり、各板状部3a,3b,3cは、隣接する板状部3a,3b,3cと連結部4a,4bで折り曲げ可能に連結されている。そして、この多機能鏡1は、連結部4a,4bが折り曲げ可能とされることにより、三つの板状部3a,3b,3cが一列に並んだ展開状態と三つの板状部3a,3b,3cが重なり合った図３に示す折畳状態とに変形可能とされている。なお、多機能鏡1の展開状態における大きさは、上下方向の長さが約４６．８ｃｍ、幅が約１０．７ｃｍであり、折畳状態における上下方向の長さは、約１５．６ｃｍであるが、これらの数値に限定されるものではない。
【００１７】
また、三つの板状部3a,3b,3cの表裏に位置する六面は、鏡21が配された鏡面11と、写真を収納可能な写真収納部23が形成された写真収納面12と、カード類を収納可能なカード収納部25が形成されたカード収納面13と、シールを貼剥自在（シールを貼ることも、貼ったシールを剥がすことも自在）なシール貼付部27を備えたシール貼付面14と、を少なくとも一つずつ含んで構成されている。
【００１８】
すなわち、多機能鏡1は、外表面側に位置する三面（図１に示す三面）を上方から順に第一面41、第二面42、第三面43とし、第一面41、第二面42、第三面43の裏面に位置する面（図２に示す三面）を上方から順に第四面44、第五面45、第六面46とすると、第一面41が鏡面11とされ、第二面42が写真収納面12とされ、第四面44および第五面45がシール貼付面14とされ、第六面46がカード収納面13とされている。
【００１９】
そして、この多機能鏡1は、第四面44と第五面45とが対向するように第一連結部（上方側の連結部）4aで折り曲げ、さらに、第四面44の裏面である第一面41と第六面46が対向するように第二連結部（下方側の連結部）4bで折り曲げることにより図３に示したような折畳状態に変形することができる。すなわち、折畳状態において多機能鏡1は、外表面に第二面42（写真収納面12）と第三面43が位置することとなる。
【００２０】
また、多機能鏡1の第六面46の下端近傍（開放端近傍）には、後述するカバー部材51の下端近傍を内側に折り返すことで形成された折り返し部71が形成されている。そして、多機能鏡1は、図４（ａ）および図４（ｂ）に示すように、第三板状部3cを底面とする側面視略三角形となるように、第二板状部3bを第二連結部4bで折り曲げ、かつ、第一板状部3aを第一連結部4aで折り曲げ、第一板状部3aの上端縁近傍（開放端近傍）を折り返し部71に係着させることにより図４（ａ）に示した自立式の鏡として、および、図４（ｂ）に示した写真立てとして用いる自立状態に変形することができる。
【００２１】
この多機能鏡1は、図示しない長方形状の三枚の基板が一列に並設され、この三枚の基板を柔軟性を有するカバー部材51で覆って形成されている。すなわち、三枚の基板が三つの板状部3a,3b,3cの芯材として機能している。また、三枚の基板は、カバー部材51の内側において隣接する基板と所定距離離した状態で配置されており、これにより、各基板間が柔軟性を備えたカバー部材51のみで構成されるため、折り曲げ可能とされる。なお、第二板状部3bおよび第三板状部3cの基板としてはボール紙などの厚紙を用いることができるが、第一板状部3aに配置される基板は表面を鏡面加工した鏡板を用いて構成される。
【００２２】
カバー部材51は、多機能鏡1の外表面側（鏡21が配された側）を覆う外カバー51aと、内表面側を覆う内カバー51bと、を備え、三枚の基板を覆った状態で外周縁近傍を縫い止めされている。また、カバー部材51は、三枚の基板を覆った状態において下方に折り返し部71を形成するための折りしろを有している。外カバー51aは、ポリウレタンなどの抗張力や耐摩耗性に優れた樹脂素材で形成されており、白、ピンク、黒、水色、紫、黄色といったような色彩や模様が施されている。内カバー51bは、ポリエステルなどの耐熱性や強度に優れた樹脂素材を用いた繊維で形成されている。
【００２３】
そして、鏡面11は、鏡面加工された面を外表面に向けて配置された鏡板と、枠状に形成された外カバー51aと、により構成されている。写真収納面12を形成する写真収納部23は、外カバー51aにおける第二面42部分に透明な樹脂を袋状に縫いつけることで形成されている。この写真収納部23は方形状であり、袋の大きさがＬ版（８９ｍｍ×１２７ｍｍ）を収納可能な大きさとされている。なお、写真収納部23は、上方が開口とされており、上方から写真を挿入可能である。
【００２４】
シール貼付面14を形成するシール貼付部27は、内カバー51bの第四面44および第五面45にシール台紙を貼付する、あるいは、縫いつけることにより形成されている。シール台紙としては、例えば、紙の表面にポリエステルでラミネート加工をし、この表面にシリコーンをコーティングしたものを用いることができる。このシール台紙は、シールを販売するときなどにシールを貼り付けておく台紙として使用されるものであり、貼り付けたシールを簡単に剥がすことができ、また、シールを剥がしても貼着力が劣化することがないため、剥がしたシールをまた利用することができる。
【００２５】
カード収納面13を形成するカード収納部25は、内カバー51bの第六面46部分に透明な樹脂を袋状に縫いつけることで形成されている。このカード収納部25は、電車用のＩＣカードやクレジットカード、磁気カードなどを収納可能な大きさに形成されている。なお、ＩＣカードやクレジットカード、磁気カードの一般的な大きさは、８５．６ｍｍ×５３．９８ｍｍ（×０．７６ｍｍ）であり、ＩＳＯやＪＩＳで規格されている。このカード収納部25は側方が開口とされており、側方からカード類を挿入可能である。なお、カード収納面13（第六面46）には、カード収納部25と折り返し部71との間にさらにシール収納部29が形成されている。このシール収納部29もカード収納部25と同様に透明な樹脂を袋状に縫いつけることで形成されている。このシール収納部29は上方が開口とされており、上方からシールを挿入可能である。
【００２６】
このような構成とされた多機能鏡1は、鏡として用いることができるのは当然のこと、図５に示すように、写真収納部23に写真を入れて写真立てとして用いることや、携帯用のアルバムとして用いることができる。また、多機能鏡1は、図６に示すように、シール貼付部27(27a,27b)にシールを貼り付けて可愛くアレンジする、シール貼付部27(27a,27b)にシール状のプリント写真を沢山貼り付けてアルバムのように用いることもできる。そして、このシール貼付部27(27a,27b)は、貼剥自在なシール台紙で形成されており、剥がしたときに貼着力が劣化しないものであるため、プリント写真のシールをシール台紙に複数貼り付けておいて使用者が友達とプリント写真のシールを交換するときに剥がして再度他の場所に貼り付けることが可能となる。
【００２７】
さらに、多機能鏡1は、カード収納部25に電車の改札で用いる非接触型のＩＣカードを挿入しておくことで定期入れとして用いることもできる。また、カード収納部25は、カード類以外の物として、例えば、自作の名刺を収納しておくこともできる。また、多機能鏡1は、シール収納部29を備えるため、未使用のシールを収納しておくこともできる。
【００２８】
このように、多機能鏡1は、鏡と定期入れとカードホルダーとを別々に携帯する必要がなく、一つの道具で複数の機能を提供できることとなる。また、使用者が自分でシールを貼り付けるなどすることでオリジナルの鏡にアレンジできるため、使用者に今までにない新たな趣向を提供できることとなる。
【００２９】
なお、本考案は、以上の実施形態に限定されるものではなく、考案の目的、作用、効果を変更しない限り設計変更が可能である。例えば、第三面43にも収納を設けたり、シール貼付面14を一面のみにして収納を増やしたり、あるいは、折畳状態を保持するためにボタンを設けたりといった改変を行うことができる。
【符号の説明】
【００３０】
1  多機能鏡
3a  第一板状部                        3b  第二板状部
3c  第三板状部                        4a  第一連結部
4b  第二連結部
11  鏡面                              12  写真収納面
13  カード収納面                      14  シール貼付面
21  鏡                                23  写真収納部
25  カード収納部                      27  シール貼付部
29  シール収納部
41  第一面                            42  第二面
43  第三面                            44  第四面
45  第五面                            46  第六面
51  カバー部材                        51a 外カバー
51b 内カバー                          71  折り返し部
【図１】
0003166242.tif 000003
【図２】
0003166242.tif 000004
【図３】
0003166242.tif 000005
【図４】
0003166242.tif 000006
【図５】
0003166242.tif 000007
【図６】
0003166242.tif 000008